(57)【要約】【課題】資料提示装置によって撮影した画像を無線によって外部の画像出力装置に伝送するシステムにおいて、出力画像の安定性について、ユーザの好みに応じた設定を行うことが可能な技術を提供する。【解決手段】資料提示装置は、画像を撮影する撮影部と、撮影された画像を無線によって順次送信する送信部とを備える。一方、画像出力装置は、資料提示装置から画像を無線によって順次受信する受信部と、受信された画像を出力する出力部と、無線の電波強度を測定する測定部とを備える。出力部は、電波強度とユーザによる操作に応じて設定された閾値とを対比して、電波強度が閾値よりも高い場合には受信部によって順次受信された画像を順次出力することで動画の出力を行い、電波強度が閾値以下の場合には既に受信された一の画像を連続的に出力することで静止画の出力を行う。【選択図】図１
2011155434.tif 000002
【特許請求の範囲】
【請求項１】
資料提示装置と画像出力装置とが無線によって接続される資料提示システムであって、
前記資料提示装置は、
画像を撮影する撮影部と、
前記撮影部によって撮影された画像を前記無線によって順次送信する送信部と、を備え、
前記画像出力装置は、
前記資料提示装置から前記画像を前記無線によって順次受信する受信部と、
前記受信部によって受信された画像を出力する出力部と、
前記無線の電波強度を測定する測定部と、を備え、
前記出力部は、前記電波強度と、ユーザによる操作に応じて設定された閾値とを対比して、前記電波強度が前記閾値よりも高い場合には、前記受信部によって順次受信された前記画像を順次出力することで動画の出力を行い、前記電波強度が前記閾値以下の場合には、既に受信された一の画像を連続的に出力することで静止画の出力を行う、
資料提示システム。
【請求項２】
請求項１に記載の資料提示システムであって、
前記画像出力装置は、更に、
前記電波強度を表す電波強度情報を前記無線によって前記資料提示装置に送信する電波強度送信部を備え、
前記資料提示装置は、更に、
前記電波強度情報を前記画像出力装置から前記無線によって受信する電波強度受信部と、
前記受信された電波強度情報に基づいて、前記電波強度に関する表示を行う電波強度表示部と、を備える、
資料提示システム。
【発明の詳細な説明】
【技術分野】
【０００１】
本発明は、資料提示装置によって撮影した画像を出力するシステムに関する。
【背景技術】
【０００２】
近年、資料提示装置によって撮影された画像を、無線によって外部の画像出力装置に伝送して表示する技術が提案されている（例えば、特許文献１，２参照）。
【０００３】
しかし、無線による通信では、混信や障害物の存在等によって電波強度や接続状態が変動する場合があった。電波強度や接続状態が変動すると、表示される画像にノイズが生じたり、画面が突然暗くなってしまうなど、出力される画像の表示状態が不安定になる虞があった。
【先行技術文献】
【特許文献】
【０００４】
【特許文献１】特開平１０−２６２１６３号公報
【特許文献２】特開２００８−２７１２６５号公報
【発明の概要】
【発明が解決しようとする課題】
【０００５】
このような問題を考慮し、本発明が解決しようとする課題は、資料提示装置によって撮影した画像を無線によって外部の画像出力装置に伝送するシステムにおいて、出力画像の安定性について、ユーザの好みに応じた設定を行うことが可能な技術を提供することにある。
【課題を解決するための手段】
【０００６】
本発明は、上述の課題の少なくとも一部を解決するためになされたものであり、以下の形態又は適用例として実現することが可能である。
【０００７】
［適用例１］資料提示装置と画像出力装置とが無線によって接続される資料提示システムであって、前記資料提示装置は、画像を撮影する撮影部と、前記撮影部によって撮影された画像を前記無線によって順次送信する送信部と、を備え、前記画像出力装置は、前記資料提示装置から前記画像を前記無線によって順次受信する受信部と、前記受信部によって受信された画像を出力する出力部と、前記無線の電波強度を測定する測定部と、を備え、前記出力部は、前記電波強度と、ユーザによる操作に応じて設定された閾値とを対比して、前記電波強度が前記閾値よりも高い場合には、前記受信部によって順次受信された前記画像を順次出力することで動画の出力を行い、前記電波強度が前記閾値以下の場合には、既に受信された一の画像を連続的に出力することで静止画の出力を行う、資料提示システム。
【０００８】
上記構成の資料提示システムでは、画像出力装置によって測定された電波強度と、ユーザによる操作に応じて設定された閾値とを対比し、電波強度が閾値よりも高ければ動画の出力を行い、電波強度が閾値以下であれば静止画の出力を行う。そのため、例えば、閾値を高く設定すれば、電波強度が低下した場合であっても、良好な電波状態で受信したノイズの少ない静止画を出力することができ、閾値を低く設定すれば、電波強度の悪化によって出力画像にノイズが生じたとしても、動画の出力を優先させることが可能になる。よって、上記構成の資料提示システムによれば、出力画像の安定性に関する設定をユーザの好みに応じて行うことが可能になる。
【０００９】
［適用例２］適用例１に記載の資料提示システムであって、前記画像出力装置は、更に、前記電波強度を表す電波強度情報を前記無線によって前記資料提示装置に送信する電波強度送信部を備え、前記資料提示装置は、更に、前記電波強度情報を前記画像出力装置から前記無線によって受信する電波強度受信部と、前記受信された電波強度情報に基づいて、前記電波強度に関する表示を行う電波強度表示部と、を備える、資料提示システム。
【００１０】
このような資料提示システムであれば、画像出力装置側で測定した電波強度に関する表示を、ユーザが実際に操作を行う資料提示装置側で行うことができる。そのため、ユーザの利便性を向上させることが可能になる。
【００１１】
本発明は、上述した資料提示システムとしての構成のほか、資料提示システムの制御方法や、資料提示システムを制御するためのコンピュータプログラムとしても構成することができる。コンピュータプログラムは、コンピュータが読取可能な記録媒体に記録されていてもよい。記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【図面の簡単な説明】
【００１２】
【図１】資料提示システムの概略構成を示す説明図である。
【図２】資料提示装置の内部構成を示すブロック図である。
【図３】画像出力装置の内部構成を示すブロック図である。
【図４】画像出力処理のフローチャートである。
【図５】電波強度情報を合成して表示した例を示す説明図である。
【発明を実施するための形態】
【００１３】
以下、本発明の実施の形態を実施例に基づき次の順序で説明する。
Ａ．資料提示システムの概略構成：
Ｂ．資料提示装置の内部構成：
Ｃ．画像出力装置の内部構成：
Ｄ．画像出力処理：
Ｅ．変形例：
【００１４】
Ａ．資料提示システムの概略構成：
図１は、本発明の一実施例としての資料提示システム１０の概略構成を示す説明図である。本実施例の資料提示システム１０は、資料提示装置１００と、画像出力装置２００と、外部表示装置３００とから構成されている。外部表示装置３００としては、例えば、液晶ディスプレイやプロジェクタ、テレビモニタ等を適用することができる。本実施例の資料提示装置１００は、カメラヘッド１１０によって撮影した資料ＳＴの画像を、無線によって画像出力装置２００に伝送する機能を備えている。画像出力装置２００は、資料提示装置１００から無線を介して画像を受信すると、この画像を、アナログＲＧＢインタフェースを介して接続された外部表示装置３００に出力する。
【００１５】
資料提示装置１００は、机などに設置される本体１０２と、本体１０２から上側に伸びた支柱１０４と、支柱１０４の先端に取り付けられ、資料ＳＴの撮影を行うカメラヘッド１１０と、を備えている。本体１０２には、画像出力装置２００との間で無線通信を行うためのアンテナ１０６が設けられている。アンテナ１０６は、外部に露出するように設けられていてもよいし、本体１０２内や支柱１０４内に設けられていてもよい。本体１０２には、無線通信時の電波強度を表示するための電波強度表示部１０８が設けられている。電波強度表示部１０８は、８つの発光ダイオードからなり、無線が接続されている場合には、その電波強度が８段階で表示され、無線が切断されている場合には、全ての発光ダイオードが消灯する。なお、電波強度表示部１０８の形態はこれに限られず、例えば、７セグメントディスプレイ等によって電波強度を表す数値をそのまま表示することとしてもよい。
【００１６】
画像出力装置２００は、資料提示装置１００との間で無線通信を行うためのアンテナ２０２と、動作モード設定スイッチ２０４と、電波強度表示スイッチ２０６と、電波強度表示部２０８と、を備えている。動作モード設定スイッチ２０４は、ユーザの好みに応じて出力画像の安定性に関する設定を行うためのスイッチである。電波強度表示スイッチ２０６は、出力される画像に電波強度のレベルを重畳表示させるためのスイッチである。電波強度表示部２０８は、資料提示装置１００の電波強度表示部１０８と同様に、８つの発光ダイオードからなり、電波強度を８段階で表示する。
【００１７】
Ｂ．資料提示装置の内部構成：
図２は、資料提示装置１００の内部構成を示すブロック図である。図示するように、資料提示装置１００は、カメラヘッド１１０や、画像処理プロセッサ１２０、ＲＡＭ１２５、無線通信モジュール１３０、ＤＡＣ１４０、アナログＲＧＢ出力端子１５０、操作パネル１６０、サブマイコン１７０、電波強度表示部１０８を備えている。
【００１８】
カメラヘッド１１０は、資料ＳＴを撮像するためのレンズユニット１１１と、レンズユニット１１１によって集光された光を電気信号に変換するＣＣＤイメージセンサ１１２と、ＣＣＤイメージセンサ１１２から出力されるアナログ信号をデジタル信号に変換するアナログフロントエンド１１３と、ＣＣＤイメージセンサ１１２およびアナログフロントエンド１１３が動作するための基準パルスを出力するタイミングジェネレータ１１４と、を備えている。なお、ＣＣＤイメージセンサ１１２に替えて、ＣＭＯＳイメージセンサを用いることも可能である。
【００１９】
レンズユニット１１１は、複数のレンズから構成され、ズームレンズ１１８を備えている。カメラヘッド１１０内には、このズームレンズ１１８をテレ側およびワイド側に移動させて光学ズームを行うためのズームモータ１１５や、このズームモータ１１５を駆動するためのドライバＩＣ１１６を備えている。ドライバＩＣ１１６は、レンズ制御マイコン１１７に接続されており、このレンズ制御マイコン１１７からの指示に応じてズームモータ１１５に出力する信号の周波数や電圧を調整することによりズーム方向やズーム速度を制御する。
【００２０】
アナログフロントエンド１１３から出力された画像信号は、画像処理プロセッサ１２０に入力される。画像処理プロセッサ１２０は、アナログフロントエンド１１３から画像を取得してＲＡＭ１２５内に一時的に記憶する。そして、このＲＡＭ１２５を作業領域として、取得した画像に対して種々の画像処理を施す。画像処理プロセッサ１２０が施す画像処理としては、例えば、ホワイトバランスの調整や、ガンマ補正、エッジ強調処理、などがある。画像処理プロセッサ１２０によって画像処理の施された画像データは、無線通信モジュール１３０に、所定のフレームレート（例えば、３０フレーム／秒）で順次出力される。画像処理プロセッサ１２０から無線通信モジュール１３０に出力される画像データは、例えば、ＸＧＡ（１０２４画素×７６８画素）の解像度を有し、画素毎に２４ビット（Ｒ、Ｇ、Ｂのそれぞれについて各８ビットで計２４ビット）のデータを有する非圧縮のデータである。
【００２１】
無線通信モジュール１３０は、マイコンや無線通信用のＩＣが組み込まれたハードウェアモジュールである。本実施例の無線通信モジュールは、ＷＨＤＩ（商標）（Wireless Home Digital Inter-face）という無線通信規格に基づいて、画像出力装置２００との間の通信を行う。なお、無線通信規格としては、ＷＨＤＩのほか、ＷｉｒｅｌｅｓｓＨＤ（商標）や、ＩＥＥＥ８０２．１１ｇ，ｎ等の無線ＬＡＮ規格を利用することも可能である。
【００２２】
無線通信モジュール１３０は、画像送信回路１３２と強度情報受信回路１３４とを備えている。画像送信回路１３２は、画像処理プロセッサ１２０から入力された画像データを、ＷＨＤＩ規格に基づき、画像出力装置２００に送信する機能を有する。一方、強度情報受信回路１３４は、画像出力装置２００から無線を通じて電波強度を表す情報（以下、「電波強度情報」という）を受信する機能と、資料提示装置１００と画像出力装置２００との間の無線通信の接続状態を検出する機能とを備えている。強度情報受信回路１３４は、資料提示装置１００と画像出力装置２００とが無線によって接続されている場合には、「０」から「７」までの電波強度情報を画像出力装置２００から受信する。強度情報受信回路１３４は、こうして画像出力装置２００から受信した電波強度情報を、後述するサブマイコン１７０に出力する。また、強度情報受信回路１３４は、無線が切断されたことを検出した場合には、サブマイコン１７０に対して、無線が切断されたことを示す切断情報を出力する。
【００２３】
画像処理プロセッサ１２０には、無線通信モジュール１３０以外にも、ＤＡＣ１４０が接続されている。画像処理プロセッサ１２０は、このＤＡＣ１４０に対して、画像処理の施された画像を表すデジタル信号を出力する。ＤＡＣ１４０は、このデジタル信号にＤ／Ａ変換を施し、アナログＲＧＢ信号を生成する。生成されたアナログＲＧＢ信号は、アナログＲＧＢ出力端子１５０に出力される。つまり、本実施例の資料提示装置１００は、無線を通じて画像を送信する機能に加え、アナログＲＧＢ出力端子１５０を介して資料提示装置１００に直接接続された外部表示装置に対しても画像を出力することが可能になっている。なお、資料提示装置１００は、アナログＲＧＢ出力端子１５０以外にも、例えば、ＤＶＩ出力端子やビデオ出力端子、ＨＤＭＩ出力端子を備えていてもよい。
【００２４】
資料提示装置１００の本体１０２には、操作パネル１６０が備えられている。操作パネル１６０には、例えば、カメラヘッド１１０に光学ズームを行わせるためのズームボタンや、画像処理プロセッサ１２０によって実行する画像処理を選択するためのボタンなどが備えられている。操作パネル１６０には、サブマイコン１７０が接続されており、サブマイコン１７０は、操作パネル１６０から種々のボタン操作を受け付け、受け付けたボタンの操作に応じた信号を画像処理プロセッサ１２０やレンズ制御マイコン１１７に出力する。
【００２５】
サブマイコン１７０には、更に、電波強度表示部１０８（図１参照）が接続されている。サブマイコン１７０は、無線通信モジュール１３０内の強度情報受信回路１３４から電波強度情報や切断情報を取得し、これらの情報に応じて、電波強度表示部１０８を構成する発光ダイオードの点灯制御を行う。例えば、サブマイコン１７０は、電波強度情報が取得されれば、その数値が大きくなるに連れ、発光させる発光ダイオードの数を増加させる。つまり、電波強度情報が「０」であれば、発光ダイオードを１つ点灯させ、電波強度情報が「７」であれば、８つの発光ダイオードをすべて点灯させる。また、切断情報が取得されれば、発光ダイオードをすべてオフにする。なお、サブマイコン１７０は、切断情報を取得した場合には、ユーザに注意を促すため、全ての（あるいは一部）の発光ダイオードを点滅させることとしてもよい。
【００２６】
Ｃ．画像出力装置の内部構成：
図３は、画像出力装置２００の内部構成を示すブロック図である。画像出力装置２００は、無線通信モジュール２１０や、出力制御プロセッサ２２０、ＤＡＣ２３０、アナログＲＧＢ出力端子２４０、サブマイコン２５０、電波強度表示部２０８を備えている。
【００２７】
無線通信モジュール２１０は、資料提示装置１００内の無線通信モジュール１３０と同様に、マイコンや無線通信用のＩＣが組み込まれたハードウェアモジュールであり、資料提示装置１００との間でＷＨＤＩ規格に基づく無線通信を行う。
【００２８】
無線通信モジュール２１０は、画像受信回路２１２と、電波強度測定回路２１４と、強度情報送信回路２１６と、を備えている。画像受信回路２１２は、資料提示装置１００から送信された画像データを受信し、受信した画像データを、出力制御プロセッサ２２０に転送する機能を有する。電波強度測定回路２１４は、電波強度の測定や、無線の接続状態を監視する。電波強度測定回路２１４は、資料提示装置１００と画像出力装置２００とが無線によって接続されている場合には、測定した電波強度の程度を「０」から「７」までの数値で表す。「０」〜「７」の値は、数値が大きいほど電波強度が高いことを表す。なお、電波強度情報が「０」とは、無線が切断されていることを表しているわけではなく、電波強度が最も低い状態であることを表す。電波強度測定回路２１４は、この電波強度情報を、強度情報送信回路２１６とサブマイコン２５０とに出力する。また、電波強度測定回路２１４は、無線が切断されたことを検出した場合には、サブマイコン２５０に対して、無線が切断されたことを示す切断情報を出力する。強度情報送信回路２１６は、電波強度測定回路２１４から取得した電波強度情報を、無線を通じて資料提示装置１００に通知する。
【００２９】
出力制御プロセッサ２２０は、無線通信モジュール２１０から転送された画像データを受信し、受信した画像データをフレームバッファ２２５に一時的に記憶させる。フレームバッファ２２５に記憶された画像データは、所定のフレームレート（例えば、６０フレーム／秒）で出力制御プロセッサ２２０に読み込まれて、ＤＡＣ２３０に転送される。ＤＡＣ２３０では、画像データが表す画像信号のＤ／Ａ変換が行われて、アナログＲＧＢ信号が生成される。生成されたアナログＲＧＢ信号は、アナログＲＧＢ出力端子２４０を通じて、外部表示装置３００に出力される。なお、画像出力装置２００は、アナログＲＧＢ出力端子２４０以外にも、例えば、ＤＶＩ出力端子やビデオ出力端子、ＨＤＭＩ出力端子を備えていてもよい。
【００３０】
出力制御プロセッサ２２０は、内部の機能部として、出力画像切換部２２２と、電波強度重畳部２２４とを備えている。出力画像切換部２２２は、無線通信モジュール２１０によって測定された電波強度と、動作モード設定スイッチ２０４によってユーザから設定された動作モードとに応じて、外部表示装置３００に出力する画像を、動画とするか静止画とするかを切り換える機能を有している。この出力画像切換部２２２による処理内容については後で詳しく説明する。電波強度重畳部２２４は、電波強度表示スイッチ２０６がオンにされた場合に、無線通信モジュール２１０から受信した画像データに対して、電波強度情報を合成する機能を有する。
【００３１】
サブマイコン２５０には、動作モード設定スイッチ２０４や電波強度表示スイッチ２０６が接続されている。動作モード設定スイッチ２０４や電波強度表示スイッチ２０６による操作は、このサブマイコン２５０を通じて出力制御プロセッサ２２０に通知される。サブマイコン２５０は、動作モード設定スイッチ２０４によって動作モードが設定されると、設定された動作モードに応じた数値（閾値）を上述した出力制御プロセッサ２２０の出力画像切換部２２２に通知する。また、サブマイコン２５０は、無線通信モジュール２１０から取得した電波強度情報や切断情報を出力制御プロセッサ２２０に転送する。出力制御プロセッサ２２０の出力画像切換部２２２は、サブマイコン２５０から受信した閾値と電波強度情報とを比較することで、出力画像を動画とするか静止画とするかを切り換える。本実施例では、動作モードとして、「モーションモード」と、「ノーマルモード」と、「セーフモード」とが用意されている。動作モードがモーションモードに設定された場合には、閾値として「０」が出力画像切換部２２２に通知される。また、ノーマルモードに設定された場合には、「２」が通知され、セーフモードに設定されると、「４」が通知される。なお、本実施例では、動作モード設定スイッチ２０４によって閾値を３段階に切換可能としたが、より細かく閾値を指定可能としてもよい。
【００３２】
サブマイコン２５０には、更に、電波強度表示部２０８が接続されている。サブマイコン２５０は、無線通信モジュール２１０から電波強度情報や切断情報を取得し、これらの情報に基づいて、資料提示装置１００のサブマイコン１７０と同様に、電波強度表示部２０８を構成する発光ダイオードの点灯制御を行う。
【００３３】
Ｄ．画像出力処理：
図４は、画像出力装置２００の出力制御プロセッサ２２０によって実行される画像出力処理のフローチャートである。この画像出力処理は、画像出力装置２００の動作中に常時繰り返し実行される処理である。
【００３４】
この画像出力処理が開始されると、まず、出力制御プロセッサ２２０は、資料提示装置１００から送信された画像データを、無線通信モジュール２１０の画像受信回路２１２から取得するとともに（ステップＳ１０）、無線通信モジュール２１０の電波強度測定回路２１４からサブマイコン２５０を介して電波強度情報や切断情報を取得する（ステップＳ１４）。更に、出力制御プロセッサ２２０は、サブマイコン２５０から、動作モード設定スイッチ２０４による設定に応じた閾値を取得する（ステップＳ１４）。
【００３５】
続いて、出力制御プロセッサ２２０は、サブマイコン２５０を通じて電波強度表示スイッチ２０６がオン状態であるかを判定する（ステップＳ１６）。電波強度表示スイッチ２０６がオンであれば、出力制御プロセッサ２２０は、電波強度重畳部２２４によって、無線通信モジュール２１０から取得した画像データに対して、電波強度情報を合成する（ステップＳ１８）。一方、電波強度表示スイッチ２０６がオフであると判定されれば、出力制御プロセッサ２２０は、ステップＳ１８の合成処理をスキップし、電波強度情報の合成は行わない。
【００３６】
図５は、電波強度情報を外部表示装置３００の画面上に合成して表示した例を示す説明図である。図５に示した例では、電波強度情報の数値ＬＶをそのまま画面の右下に合成して表示している。なお、電波強度の表示は、こうした数値に限られず、例えば、携帯電話の電波強度を示すマークや、目盛りやメータ等を表すグラフィカルな表示によって行うこととしてもよい。
【００３７】
続いて、出力制御プロセッサ２２０は、出力画像切換部２２２によって、ステップＳ１２で取得した電波強度情報が表す電波強度とステップＳ１４で取得した閾値とを比較して、電波強度が閾値よりも高いか否かを判断する（ステップＳ２０）。上述したように、本実施例では、電波強度は「０」から「７」までの値によって表され、閾値は、動作モード設定スイッチ２０４の切換によって、「０」、「２」、または、「４」のいずれかの値に設定される。かかる比較によって、電波強度が閾値よりも高いと判断されれば、出力画像切換部２２２は、ステップＳ１０で取得した画像データ（あるいは、ステップＳ１８で電波強度情報が合成された画像データ）をフレームバッファ２２５内に上書きし、フレームバッファ２２５内に既に記憶された画像データを更新する（ステップＳ２４）。一方、電波強度が閾値以下であると判断されれば、出力画像切換部２２２は、フレームバッファ２２５の更新を停止する（ステップＳ２２）。フレームバッファ２２５の更新が停止されれば、フレームバッファ２２５には、前回のステップＳ２４の実行によって既に記憶された一の画像データがそのまま保持されることになる。なお、上記ステップＳ１４において切断情報が取得された場合にも、上記ステップＳ２０では、出力画像切換部２２２は、電波強度が閾値以下であると判断する。
【００３８】
最後に、出力制御プロセッサ２２０は、所定のフレームレートに従ってフレームバッファ２２５から画像データを読み出し（ステップＳ２６）、この画像データによって表される画像を、ＤＡＣ２３０およびアナログＲＧＢ出力端子２４０を通じて、外部表示装置３００に出力する（ステップＳ２８）。以上で説明した画像出力処理によれば、フレームバッファ２２５内が更新されている状態であれば（つまり、電波強度が閾値よりも高ければ）、外部表示装置３００には動画が出力され、フレームバッファ２２５内の更新が停止されていれば（つまり、電波強度が閾値以下であれば）、静止画が出力されることになる。
【００３９】
以上、本発明に係る資料提示システム１０の一実施例について説明した。本実施例の資料提示システム１０によれば、静止画を出力するか動画を出力するかを決定するために電波強度と対比される閾値を、動作モード設定スイッチ２０４によって適宜設定することができる。そのため、出力画像の安定性に関する設定をユーザの好みに応じて行うことが可能になる。
【００４０】
例えば、ユーザが、動作モードを「モーションモード」に設定すれば、閾値は「０」に設定されるため、画像出力装置２００は、無線が切断される間際まで、資料提示装置１００から受信した画像を動画として出力することになる。そのため、電波状況の悪化に伴って出力画像の品質が低下した場合であっても、動画が出力されることを優先させることが可能になる。この結果、例えば、動きのある資料のプレゼンテーションに適した出力を行うことが可能になる。
【００４１】
これに対して、動作モードが「セーフモード」に設定されれば、閾値は、「４」に設定される。本実施例では、電波強度の最大値は、「７」であるため、セーフモードに設定された場合には、電波強度が不安定になると比較的すぐに、画像出力装置２００からは静止画が出力されることになる。そのため、動作モードが「セーフモード」に設定されれば、電波環境が良好な状態で受信した画像に基づいて、品質の高い動画や静止画を出力することが可能になる。このように、「セーフモード」では、電波強度が不安定になると早期の段階で出力画像が動画から静止画に切り替わることになるので、動きの少ない資料のプレゼンテーションに適した出力を行うことが可能となる。なお、動作モードが、「ノーマルモード」に設定されれば、「モーションモード」と「セーフモード」の中間的な特性を有する出力を行うことができる。
【００４２】
また、本実施例の資料提示システム１０では、画像出力装置２００によって測定された電波強度は、無線を通じて資料提示装置１００に通知されて資料提示装置１００に備えられた電波強度表示部１０８に表示される。そのため、ユーザは、手元の資料提示装置１００を見るだけで、電波の状況を把握することができる。本実施例では、更に、画像出力装置２００に備えられた電波強度表示部２０８にも電波強度が表示され、更に、電波強度表示スイッチ２０６の操作に応じて、外部表示装置３００の画面上にも電波強度が表示可能である。そのため、電波の状況をどの様な状況でも容易に確認することが可能になる。なお、資料提示装置１００の電波強度表示部１０８や、画像出力装置２００の電波強度表示部２０８、画面上への電波強度の表示機能は、一部あるいは全てを省略することも可能である。
【００４３】
Ｅ．変形例：
以上、本発明の一実施例について説明したが、本発明はこのような実施例に限定されず、その趣旨を逸脱しない範囲で種々の構成を採ることができることはいうまでもない。例えば、以下のような変形が可能である。
【００４４】
・変形例１：
上記実施例では、無線の電波強度が低下した場合に、出力される画像を動画から静止画に切り換えている。これに対して、例えば、資料提示装置１００の画像処理プロセッサ１２０は、画像出力装置２００から通知された電波強度が低下した場合に、その低下量に応じて、画像出力装置２００に伝送する画像データの解像度や色深度、フレームレートを低下させることとしてもよい。こうすることによって、画像データのデータ量を削減することが可能になるため、電波強度が低下した場合においても、動画の出力をできるだけ維持させることが可能になる。
【００４５】
・変形例２：
上記実施例では、資料提示装置１００の電波強度表示部１０８や画像出力装置２００の電波強度表示部２０８、あるいは、出力画面上に、電波強度のレベルを表示した。これに対して、例えば、電波強度が閾値以下になった場合にのみ、電波強度表示部１０８や電波強度表示部２０８、あるいは画面上に、警告表示を行う構成としてもよい。こうすることにより、簡易な構成で電波強度が低下したことをユーザに知らせることが可能になる。
【００４６】
・変形例３：
上記実施例では、画像出力装置２００に備えられた動作モード設定スイッチ２０４によって、動作モードの設定を行うこととした。これに対して、動作モード設定スイッチは、資料提示装置１００側に備えられていることとしてもよい。この場合、資料提示装置１００は、動作モード設定スイッチによる設定操作をサブマイコン１７０によって検出し、設定された動作モードに応じた閾値を、無線通信モジュール１３０によって画像出力装置２００に伝送する。このような構成であれば、動作モードの設定を資料提示装置１００側で行うことができるため、ユーザの利便性を向上させることが可能になる。
【００４７】
・変形例４：
上記実施例では、画像出力装置２００と外部表示装置３００とは別々の装置であることとしたが、画像出力装置２００は、外部表示装置３００内に組み込まれていてもよい。また、資料提示装置１００内に備えられた無線通信モジュール１３０を、資料提示装置１００から分離させて、別個の画像送信装置として構成してもよい。この場合、画像送信装置には、資料提示装置１００から画像信号を、例えば、アナログＲＧＢインタフェースやＤＶＩインタフェースを通じて入力する。そして、画像送信装置は、資料提示装置１００から入力された画像信号を無線によって画像出力装置２００に伝送する。
【００４８】
・変形例５：
上記実施例では、画像出力装置２００は、出力画像を動画とするか静止画とするかを、出力制御プロセッサ２２０によって判断することとした。これに対して、このような判断は、サブマイコン２５０側で行うことも可能である。この場合、出力制御プロセッサ２２０は、サブマイコン２５０から判断結果の通知を受け、その通知に基づいて、フレームバッファ２２５を更新するか否かを決定する。
【符号の説明】
【００４９】
１０…資料提示システム
１００…資料提示装置
１０２…本体
１０４…支柱
１０６…アンテナ
１０８…電波強度表示部
１１０…カメラヘッド
１１１…レンズユニット
１１２…ＣＣＤイメージセンサ
１１３…アナログフロントエンド
１１４…タイミングジェネレータ
１１５…ズームモータ
１１６…ドライバＩＣ
１１７…レンズ制御マイコン
１１８…ズームレンズ
１２０…画像処理プロセッサ
１３０…無線通信モジュール
１３２…画像送信回路
１３４…強度情報受信回路
１４０…ＤＡＣ
１５０…アナログＲＧＢ出力端子
１６０…操作パネル
１７０…サブマイコン
２００…画像出力装置
２０２…アンテナ
２０４…動作モード設定スイッチ
２０６…電波強度表示スイッチ
２０８…電波強度表示部
２１０…無線通信モジュール
２１２…画像受信回路
２１４…電波強度測定回路
２１６…強度情報送信回路
２２０…出力制御プロセッサ
２２２…出力画像切換部
２２４…電波強度重畳部
２２５…フレームバッファ
２３０…ＤＡＣ
２４０…アナログＲＧＢ出力端子
２５０…サブマイコン
３００…外部表示装置
【図１】
2011155434.tif 000003
【図２】
2011155434.tif 000004
【図３】
2011155434.tif 000005
【図４】
2011155434.tif 000006
【図５】
2011155434.tif 000007